(57)【要約】【課題】適正なホワイトバランスの調整を高度な撮影知識や複雑な設定操作を必要とすることなく容易に行うことのできる写真撮影方法及びこれに用いる写真撮影用補助具を提供する。【解決手段】標準的なホワイトバランスとなる色及び濃淡を有する反射板２をカメラ４の撮影範囲に入れてシャッターボタン４ｂを半押しにした後、シャッターボタン４ｂの半押し状態を維持したままカメラ４の撮影範囲から反射板２を除去して被写体５をカメラの撮影範囲に入れ、シャッターボタン４ｂを全押しにして被写体５を撮影するようにしたので、被写体５の背景６が明るい場合でも、被写体５に対して適正なホワイトバランスで撮影することができる。即ち、反射板２を備えた補助具１を用いることにより、適正なホワイトバランスの調整を高度な撮影知識や複雑な設定操作を必要とすることなく容易に行うことのできる。【選択図】図３
2006222865.tif 000002
【特許請求の範囲】
【請求項１】
シャッターボタンを半押しにすることによりホワイトバランスを自動調整するデジタルカメラを用いた写真撮影方法において、
ホワイトバランスの基準となる所定の色及び反射率を有し、カメラに向かって凸状をなすように形成された反射板を用い、
被写体と同等の撮影環境に配置した反射板をカメラの撮影範囲に入れてシャッターボタンを半押しにした後、
シャッターボタンの半押し状態を維持したままカメラの撮影範囲から反射板を除去して被写体をカメラの撮影範囲に入れ、シャッターボタンを全押しにして被写体を撮影する
ことを特徴とする写真撮影方法。
【請求項２】
前記反射板として、表面にカメラの焦点合わせの基準となる所定の表示部を有するものを用いる
ことを特徴とする請求項１記載の写真撮影方法。
【請求項３】
前記反射板の色に光反射率１８％の灰色を用いる
ことを特徴とする請求項１または２記載の写真撮影方法。
【請求項４】
シャッターボタンを半押しにすることによりホワイトバランスを自動調整するデジタルカメラ用の写真撮影用補助具であって、
ホワイトバランスの基準となる所定の色及び反射率を有し、カメラに向かって凸状をなすように形成された反射板を備えた
ことを特徴とする写真撮影用補助具。
【請求項５】
前記反射板の表面にカメラの焦点合わせの基準となる所定の表示部を設けた
ことを特徴とする請求項４記載の写真撮影用補助具。
【請求項６】
前記反射板を可撓性を有する平面状の部材によって形成するとともに、
反射板をカメラに向かって凸状をなすように湾曲させた状態で着脱自在に保持する保持部材を備えた
ことを特徴とする請求項４または５記載の写真撮影用補助具。
【請求項７】
前記反射板の色に光反射率略１８％の灰色を用いた
ことを特徴とする請求項４、５または６記載の写真撮影用補助具。
【発明の詳細な説明】
【技術分野】
【０００１】
本発明は、ホワイトバランスを自動調整するデジタルカメラを用いて写真を撮影する写真撮影方法及びこれに用いる写真撮影用補助具に関するものである。
【背景技術】
【０００２】
一般に、デジタルカメラを用いて写真を撮影する場合は、実際の色と同等になるようにホワイトバランスを調整する必要がある。従来、ホワイトバランスを調整可能なデジタルカメラとしては、被写体を撮影範囲に入れてシャッターボタンを半押しにすることによりホワイトバランスを自動調整し、そのままシャッターボタンを全押しにすることにより、ホワイトバランスを調整された画像データが撮像部に取込まれるようにしたものが知られている（例えば、特許文献１または２参照。）。
【特許文献１】特開２００２−２９０８２６号公報
【特許文献２】特開２０００−２９９８７６号公報
【発明の開示】
【発明が解決しようとする課題】
【０００３】
ところで、前記デジタルカメラでは、被写体及びその背景を含む撮影範囲全体から反射する光の平均値に基づいてホワイトバランスを自動調整するようになっているが、例えば被写体の背景が白色のように反射率の高い場合は、撮影範囲全体が明るくなるため、そのままホワイトバランスの調整が行われると、撮影された写真の被写体が暗くなったり、或いは実際とは異なった色に写るなど、ホワイトバランスの自動調整では上手く写真が撮れないという問題点があった。また、デジタルカメラはホワイトバランスを手動調整する機能を備えているため、前述のような場合にホワイトバランスを適正に調整することもできるが、ホワイトバランスの手動調整には高度な撮影知識と複雑な設定操作を必要とするため、アマチュアの撮影者にとっては適正なホワイトバランスに容易に調整することができないという問題点があった。
【０００４】
本発明は前記問題点に鑑みてなされたものであり、その目的とするところは、適正なホワイトバランスの調整を高度な撮影知識や複雑な設定操作を必要とすることなく容易に行うことのできる写真撮影方法及びこれに用いる写真撮影用補助具を提供することにある。
【課題を解決するための手段】
【０００５】
本発明は前記目的を達成するために、シャッターボタンを半押しにすることによりホワイトバランスを自動調整するデジタルカメラを用いた写真撮影方法において、ホワイトバランスの基準となる所定の色及び反射率を有し、カメラに向かって凸状をなすように形成された反射板を用い、被写体と同等の撮影環境に配置した反射板をカメラの撮影範囲に入れてシャッターボタンを半押しにした後、シャッターボタンの半押し状態を維持したままカメラの撮影範囲から反射板を除去して被写体をカメラの撮影範囲に入れ、シャッターボタンを全押しにして被写体を撮影するようにしている。
【０００６】
これにより、被写体と同等の撮影環境に配置した反射板をカメラの撮影範囲に入れてシャッターボタンを半押しにすることにより、デジタルカメラのホワイトバランスが反射板を基準に調整される。この後、シャッターボタンの半押し状態を維持したままカメラの撮影範囲から反射板を除去し、被写体をカメラの撮影範囲に入れて被写体を撮影することにより、ホワイトバランスが反射板を基準に調整された状態に保持され、そのまま被写体及びその背景を撮影することにより、被写体に対して適正なホワイトバランスとなる。
【０００７】
また、本発明は前記目的を達成するために、シャッターボタンを半押しにすることによりホワイトバランスを自動調整するデジタルカメラ用の写真撮影用補助具であって、ホワイトバランスの基準となる所定の色及び反射率を有し、カメラに向かって凸状をなすように形成された反射板を備えた写真撮影用補助具を構成している。
【０００８】
これにより、本発明の写真撮影用補助具を用いることにより、前記写真撮影方法を容易に実施することができる。
【発明の効果】
【０００９】
本発明によれば、例えば被写体の背景が明るい場合でも、被写体に対して適正なホワイトバランスで撮影することができるので、撮影した写真が暗くなることがなく、被写体を実物と同等の色で明るく撮影することができる。この場合、適正なホワイトバランスの調整を高度な撮影知識や複雑な設定操作を必要とすることなく容易に行うことのできるので、アマチュアの撮影者であっても適正なホワイトバランスの写真を簡単に撮影することができる。
【発明を実施するための最良の形態】
【００１０】
図１乃至図６は本発明の一実施形態を示すもので、図１は写真撮影用補助具の斜視図、図２はその分解斜視図、図３及び図４は写真撮影方法を示す斜視図、図５及び図６は写真撮影方法を示すデジタルカメラの背面図である。
【００１１】
同図に示す写真撮影用補助具１は、ホワイトバランスの基準となる所定の色及び反射率を有する反射板２と、反射板２を保持する保持部材３とからなり、反射板２はカメラ４に向かって凸状をなすように形成されている。
【００１２】
反射板２は厚紙等の可撓性を有する平面状の部材からなり、その表面は光の反射率が１８％の灰色に塗装されている。尚、反射率１８％の灰色は、標準的なホワイトバランスに設定するために用いられる基準色であり、一般的な反射率を有する被写体と同等の反射率となる。また、反射板２の表面には、カメラの焦点合わせの基準となる表示部２ａが設けられ、表示部２ａは白色で印刷された所定の図柄からなる。
【００１３】
保持部材３は上下方向に延びる棒状に形成され、断面三角形状に折り曲げられた厚紙によって形成されている。保持部材３の上端側及び上下方向略中央にはそれぞれ溝３ａが設けられており、図２に示すように反射板２の上端側及び下端側を各溝３ａに係合することにより、反射板２が保持部材３によって保持されるようになっている。この場合、各溝３ａの間隔は反射板２の上下方向の寸法よりも小さくなっており、反射板２を各溝３ａに係合すると、図１に示すように反射板２が前方に向かって凸状をなすように上下方向に湾曲した状態で保持される。また、保持部材３の下端側は撮影者が把持可能に形成されている。
【００１４】
本実施形態で用いるデジタルカメラ４は、背面側の画像表示部４ａにレンズを通して映し出される画像や撮影済みの画像等を表示可能であって、シャッターボタン４ｂを半押しにすることにより、ホワイトバランスを自動調整する周知のものである。即ち、このデジタルカメラ４では、レンズを通して取込まれる撮影範囲全体の光の平均値に基づいてホワイトバランスが調整されるようになっている。
【００１５】
次に、前記写真撮影用補助具１を用いて、デジタルカメラ４により写真を撮影する方法を説明する。即ち、図３に示すように被写体５を白色の背景６の前方に配置して撮影する場合、まず被写体５の前方に被写体５と同等の撮影環境になるように補助具１を配置し、補助具１の反射板２がカメラ４の撮影範囲に入るようにしてシャッターボタン３ｂを半押しにする。この場合、図５に示すように反射板２がカメラ４の撮影範囲の約８０％を占めるようにする。これにより、デジタルカメラ４のホワイトバランスが反射板２を基準に調整される。その際、反射板２はカメラ４に向かって凸状をなすように上下方向に湾曲しているため、例えば上方に光源が配置されている場合は、光の反射量が反射板２の上部では多く、反射板２の下部では少なくなり、反射板２の全体で均一になる。この場合、反射板２は上下方向に湾曲しているため、反射板２の傾斜角度が上下方向に変化しても、カメラ４に対する反射板２の全体の反射量の変化は少ない。また、シャッターボタン４ｂを半押しにすると、カメラ４の自動焦点機能が作動する場合は、レンズが焦点を合わせるための動作を行うが、反射板２には焦点合わせの基準になる表示部２ａが表示されているため、レンズの焦点合わせ動作が適正な焦点位置で速やかに停止する。
【００１６】
この後、図４に示すようにシャッターボタン４ｂの半押し状態を維持したままカメラ４の撮影範囲から補助具１の反射板２を除去して被写体５をカメラ４の撮影範囲に入れ、図６に示すようにシャッターボタン３ｂを全押しにして被写体５を撮影する。即ち、シャッターボタン４ｂが半押し状態のまま反射板２を除去しても、ホワイトバランスは反射板２を基準に調整された状態に保持されるため、そのまま被写体５及びその背景６を撮影すると、被写体５に対して適正なホワイトバランスとなる。
【００１７】
このように、本実施形態によれば、標準的なホワイトバランスとなる色及び濃淡を有する反射板２をカメラ４の撮影範囲に入れてシャッターボタン４ｂを半押しにした後、シャッターボタン４ｂの半押し状態を維持したままカメラ４の撮影範囲から反射板２を除去して被写体５をカメラの撮影範囲に入れ、シャッターボタン４ｂを全押しにして被写体５を撮影するようにしたので、被写体５の背景６が明るい場合でも、被写体５に対して適正なホワイトバランスで撮影することができる。従って、撮影した写真が暗くなることがなく、被写体５を実物と同等の色で明るく撮影することができる。即ち、反射板２を備えた補助具１を用いることにより、適正なホワイトバランスの調整を高度な撮影知識や複雑な設定操作を必要とすることなく容易に行うことのできるので、アマチュアの撮影者であっても適正なホワイトバランスの写真を簡単に撮影することができる。
【００１８】
この場合、反射板２がカメラ４に向かって凸状をなすように上下方向に湾曲しているので、反射板２の傾斜角度が上下方向に変化しても、カメラ４に対する反射板２の全体の反射量の変化を少なくすることができ、反射板２の向きを厳密に調整する必要がないという利点がある。
【００１９】
また、反射板２の表面にカメラ４の焦点合わせの基準となる表示部２ａを設けたので、シャッターボタン４ｂの半押しにした際にカメラ４が自動焦点動作を開始した場合でも、レンズの焦点合わせ動作を適正な焦点位置で速やかに停止させることができ、撮影作業を円滑に行うことができる。
【００２０】
更に、反射板２の色には、標準的なホワイトバランスに設定するための基準色である光反射率１８％の灰色を用いたので、一般的な反射率を有する被写体の撮影に最適であり、通常の写真撮影に広く対応することができる。
【００２１】
また、反射板２を可撓性を有する平面状の部材によって形成するとともに、保持部材３によって反射板２を凸状をなすように湾曲させた状態で着脱自在に保持するようにしたので、反射板２を保持部材３から取外して平面状にすることができ、未使用時の保管や持ち運びに便利である。
【００２２】
尚、前記実施形態では、被写体５の背景６が明るい場合を示したが、背景が暗い場合にも適正なホワイトバランスにすることができる。
【００２３】
更に、前記実施形態では、反射板２を上下方向に湾曲させた状態で撮影する場合を示したが、光源が側方に配置されている場合は、補助具１を横向きにして反射板２を左右方向に湾曲させた状態で撮影すればよい。また、球面状の反射板を用いれば、上下方向及び左右方向の何れの方向からの光にも対応することができる。
【００２４】
更に、前記実施形態では、反射板２の色に光反射率１８％の灰色を用いたものを示したが、他の色の反射板２を用いれば、例えば赤みがかった写真等を意図的に撮影することも可能である。
【図面の簡単な説明】
【００２５】
【図１】本発明の一実施形態を示す写真撮影用補助具の斜視図
【図２】写真撮影用補助具の分解斜視図
【図３】写真撮影方法を示す斜視図
【図４】写真撮影方法を示す斜視図
【図５】写真撮影方法を示すデジタルカメラの背面図
【図６】写真撮影方法を示すデジタルカメラの背面図
【符号の説明】
【００２６】
１…写真撮影用補助具、２…反射板、２ａ…表示部、３…保持部材、４…デジタルカメラ、４ｂ…シャッターボタン、５…被写体。
【図１】
2006222865.tif 000003
【図２】
2006222865.tif 000004
【図３】
2006222865.tif 000005
【図４】
2006222865.tif 000006
【図５】
2006222865.tif 000007
【図６】
2006222865.tif 000008